(57)【要約】      （修正有）【課題】傘ハンドルの構造強度を向上させるほか、曲げ加工のプロセスにおいて、竹製の構造本体が支持力不足によって折れたり、損傷が発生したりすることを防ぐことができ、効率的に完成品の歩留まりを向上させる傘ハンドル構造を提供する。【解決手段】傘ハンドル１は構造本体２と支持部３とを備える。構造本体２は一体的な竹製の構造体である。支持部３は金属ロッドであり、構造本体内を貫通させて設置される。構造本体と支持部が共に同じ方向に向いたフック形状に曲げ加工し、使用者に握られる傘ハンドル構造を形成する。【選択図】図３
0003211369.tif 000002
【実用新案登録請求の範囲】
【請求項１】
傘ハンドル構造であって、
一体的な竹製の構造本体と、
金属ロッドであり、前記構造本体内を貫通させて設置され、かつ曲げ加工をした後、前記構造本体と同じ方向に向いたフック形状に形成される支持部と、を備えることを特徴とする傘ハンドル構造。
【請求項２】
前記金属ロッドは銅、鉄、アルミニウム、鋼またはこれらの合金の組み合わせであることを特徴とする請求項１に記載の傘ハンドル構造。
【請求項３】
前記構造本体は竹の稈部によるものであることを特徴とする請求項１に記載の傘ハンドル構造。
【請求項４】
前記構造本体の延伸部は傘の中棒として使用されることを特徴とする請求項１に記載の傘ハンドル構造。
【考案の詳細な説明】
【技術分野】
【０００１】
本考案は傘ハンドル構造に関し、特に竹製の傘ハンドル構造に適用する。
【背景技術】
【０００２】
現在市場での傘ハンドルは真っ直ぐの寸胴型とＪ型の構造が多く採用されている。Ｊ型の傘ハンドルは握ったり吊り下げたりするのに便利であり、人々に深く愛用されているので、本考案はＪ型の構造に対して構造の改良を行う。Ｊ型の構造を有する竹製の傘ハンドルについては、特許文献１を参照できる。特許文献１では、伝統的な竹製の傘ハンドルの曲げ加工において、植物繊維の外側が引っ張られ内側が押圧されるので、竹製の構造本体が支持力の不足で折れまたは損傷が発生しやすいことを改良する。つまり、特許文献１では、竹製の柱状部分の同じ表面にそれぞれ適切な距離で中心軸に向かって三角形の塊を切除し、切除された側を傘ハンドルでの湾曲部分の内側にし、三角形のギャップの隣接する断面を接着し固定させて傘ハンドルの湾曲部分の構造を形成している。
【０００３】
しかしながら、上述した傘ハンドルの湾曲部分の構造を製造するプロセスは複雑であり、大量生産には向いてない。更に、切除と接着による傘ハンドルは構造上脆くなり、接着された部分に構造の破壊が生じやすい。従って、本考案は竹製の傘ハンドルにおける伝統的な曲げ加工を中心にするが、もし直接未処理の竹に対して曲げ加工を行ったら、数少ない種類の竹しか十分な靭性を持たない。例えば、ローハン竹などの竹は両側からの引張応力または圧縮応力を耐えられるが、他の種類の竹は折れや損傷が発生する。
【０００４】
そこで、本考案者は上記の欠点を改善可能と考え、鋭意検討を重ねた結果、合理的設計で上記の課題を効果的に改善できる傘ハンドルの改良構造の提案に到った。
【先行技術文献】
【特許文献】
【０００５】
【特許文献１】中国特許出願公開第１１４９４３２号明細書
【考案の概要】
【考案が解決しようとする課題】
【０００６】
本考案の目的は改良された傘ハンドル構造を提供する。竹製の構造本体内に金属材料の支持部を貫通させて設置することにより、傘ハンドルの構造強度を向上させるほか、曲げのプロセスにおいて、竹製の構造本体が支持力不足によって折れたり、損傷が発生したりすることを防ぐことができ、効率的に完成品の歩留まりを向上させる。
【課題を解決するための手段】
【０００７】
上述した目的を達成するために、本考案の傘ハンドル構造は既知技術と異なる材料の選択と組み立て方法により目的を達成させる。前記傘ハンドルは構造本体と支持部とを備える。構造本体は一体的な竹製構造であるので、外観上からは使用者が竹製の傘ハンドルであると明らかに判別できる。また、支持部は金属ロッドであり、構造本体内を貫通させて設置し、傘ハンドルの構造強度を向上させ、かつ加工時における支持力を強化させるべく用いられる。曲げ加工をした後、構造本体及び支持部が同じ方向に向いたフック形状に形成される。
【０００８】
上述したデザインにより、本考案の傘ハンドル構造は一体的な竹製の構造本体内に金属ロッドを埋め込み、外観上は竹製製品の木目と光沢を維持しつつ、製造プロセスにおいては、竹製の構造本体が支持力不足によって折れたり、損傷が発生したりする確率を減少させるため、耐久性の高い傘ハンドル構造を作ることができる。
【０００９】
上述した金属ロッドは銅、鉄、アルミニウム、鋼またはこれらの合金の組み合わせであってよい。金属材料の高い強度と良好な延性という利点により、曲げ加工における耐久性を強化させる。同時に実際の需要に応じ、例えばコストまたは傘ハンドルの重量などの異なる需要に対して適切な金属材料を選択する。
【００１０】
上述した構造本体は竹の稈部によるものであり、極めて良い強度と硬度を有し、重量が軽く、市場でよく使用されるプラスチック製の傘ハンドルよりも各方面においてより競争力がある。さらに、竹は環境に優しく、一般の環境で自然に分解されるので、傘ハンドルの製造に相応しい。
【００１１】
この他、構造本体の延伸部は傘の中棒として使われる。即ち、本考案において使用された竹の稈部は傘ハンドルの構造本体を含むほか、そこから延伸させて傘の中棒としても用いられる。これにより、一体的な構造デザインとすることを通じ、傘全体の構造強度を確保でき、切断や組み立てのプロセスを省くことができ、製造時間を減らして製品の競争力を向上させる。
【考案の効果】
【００１２】
本考案に係る傘ハンドル構造は、傘ハンドルの構造強度を向上させるほか、曲げ加工プロセスにおいて、竹製の構造本体が支持力不足によって折れたり、損傷が発生したりすることを防ぐことができ、効率的に完成品の歩留まりを向上させる。
【図面の簡単な説明】
【００１３】
【図１】図１は、本考案に係る好ましい傘ハンドル構造における構造本体及び支持部の分解立体図である。
【図２】図２は、本考案に係る好ましい傘ハンドル構造を示す断面図である。
【図３】図３は、本考案に係る好ましい傘ハンドル構造を示す立体図である。
【図４】図４は、本考案に係る好ましい傘ハンドル構造と傘の中棒との結合状態を示す概念図である。
【考案を実施するための形態】
【００１４】
図１及び図２は、本考案に係る好ましい傘ハンドル構造における構造本体及び支持部の分解立体図と、傘ハンドル構造を示す断面図である。図示のように、本考案の傘ハンドル１は構造本体２と支持部３とを備える。本実施形態において、構造本体２は一体的な竹製の構造体であり且つ竹の稈部である。竹の種類は特定の品種に限定されず、ある程度の構造強度を持つ竹の稈部であれば本考案の構造本体２として使用でき、強度が高く軽量である等の利点を有し、環境に優しく、一般の環境で自然に分解されるため、本考案は竹製の傘ハンドルに対して改良を行う。また、本実施形態における支持部３は鉄製の金属ロッドであるが、銅、鉄、アルミニウム、鋼またはこれらの合金の組み合わせから選択してもよい。金属材料の高い強度と良好な延性という利点により、曲げ加工における耐久性を強化させる。
【００１５】
続いて、図３の本考案に係る好ましい傘ハンドル構造を示す立体図を参照する。本実施形態の加工プロセスにおいて、予め寸法の対応した構造本体２と支持部３とを用意しておき、且つ構造本体２内の竹の節に穴開け処理をした後、支持部３を構造本体２に挿入して固定する。そして、結合済みの構造本体２と支持部３を金型に設置し曲げ加工の作業を行い、構造本体２と支持部３とを同じ方向に向いたフック形状に形成する。次に曲げた箇所に研磨を行い、外観を美しくする処理をした後、使用者が利用できる傘ハンドル１の構造になる。
【００１６】
これにより、本考案の傘ハンドル１の改良構造は一体的な竹製の構造本体内に金属ロッドを埋め込み、外観上は竹製製品の木目と光沢を維持しつつ、製造プロセスにおいては、竹製の構造本体が支持力不足によって折れたり損傷が発生したりする確率を減少させるので、耐久性の高い傘ハンドル１の構造を作ることができる。
【００１７】
図４の本考案に係る傘ハンドル構造と傘の中棒との結合を示す概念図を参照すると、本実施形態では、構造本体２における竹の稈部は傘ハンドル１として使用されるほか、さらに延伸部２０を有し、傘の構造の中棒１０への支持として使用される。即ち、本考案は構造本体２と延伸部２０とを含む長めの竹の稈部を使用し、且つ当該竹の稈部は一体的な構造体である。このように一体的な構造デザインとすることを通じ、傘全体の構造強度を確保でき、切断や組み立てのプロセスを省くことができ、製造時間を減らして製品の競争力を向上させる。
【００１８】
以上に述べた実施形態は、あくまでも説明の便宜のために挙げたものであって、本考案で主張する権利範囲は実用新案登録請求の範囲で記載されるものを基準とし、上記実施形態のみに限定されるものではない。
【符号の説明】
【００１９】
１  傘ハンドル
１０  中棒
２  構造本体
２０  延伸部
３  支持部
【図１】
0003211369.tif 000003
【図２】
0003211369.tif 000004
【図３】
0003211369.tif 000005
【図４】
0003211369.tif 000006